(57)【要約】  ディスポーザル可能な再充てんユニット、及び泡ディスペンサーディスペンサー用のディスポーザル可能な再充てんユニットがここに開示される。実施例は、泡生成可能な液体を保持して前記容器に固定される容器を含む。前記ポンプは液体入口弁と液体出口弁の間に形成される液体チャンバーを含む。加えて、前記ポンプは少なくとも一部が前記液体チャンバー内に配設されるスリーブを含む。一又は複数の液体流路は少なくとも一部が前記スリーブの外壁と液体チャンバーの壁の間に位置される領域に定義される。前記ポンプは、ヘッド及びピストンの一の端に位置されるシール部材を有するピストン体も含む。前記シール部材は前記スリーブの前記内壁に対してシールを形成し、前記ピストンヘッドは前記スリーブ内を動いて、前記液体チャンバーの容積を減少及び拡大する。
2015533535.tif 000002
【特許請求の範囲】
【請求項１】
再充てんユニットであって：
泡生成可能な液体を保持する容器と；
前記容器に接続されたポンプ匡体と；
前記ポンプ匡体は空洞、液体入口流路及び液体出口流路を含み；
前記容器と前記空洞とを流体連通する配置の前記液体入口流路と；
前記空洞と混合チャンバーとを流体連通する配置の前記液体出口流路と；
前記液体出口流路の下流に、かつ、前記混合チャンバーの上流に配設される液体出口弁と；
前記容器と前記空洞の間に配設される液体入口弁と；
少なくとも一部が前記空洞内に配設される円筒形のスリーブと；
前記円筒形のシリンダー内を往復動可動な液体ピストンと；
前記円筒形スリーブは少なくとも液体ポンプチャンバー部分を形成し；
空気コンプレッサーと；
前記円筒形のスリーブは前記空気コンプレッサーを前記混合チャンバーと流体連通するものとして配置されて；及び
泡生成可能な液体及び空気の混合をディスペンスするのに用いる混合チャンバーと流体連通する出口ノズルとを含む再充てんユニット。
【請求項２】
前記液体入口弁は少なくとも一部が前記空洞内に配設される前記フレキシブル膜はそこを通る一又は複数のアパーチャを有するフレキシブル膜であって；
前記フレキシブル膜は一方向液体入口弁として作用して、かつ、少なくともフレキシブル膜の部分が前記液体入口流路を覆って液体が前記ポンプチャンバーから前記液体入口流路へ流出するのを防止するものであって；及び
前記液体ポンプチャンバーが負圧にあるとき、前記フレキシブル膜は撓んで前記液体入口流路の覆いを外し液体がフレキシブル膜の一又は複数のアパーチャを通り液体入口流路を通り前記液体ポンプチャンバーへ流入するのを防止する請求項１に記載の再充てんユニット。
【請求項３】
前記空気コンプレッサーは円筒形であって前記円筒形のスリーブと同心である請求項１に記載の再充てんユニット。
【請求項４】
前記円筒形の空気コンプレッサー及び円筒形のスリーブは一体の部品であって前記液体ピストン及び前記空気コンプレッサーの空気ピストンは共に接続されている請求項２記載の再充てんユニット。
【請求項５】
前記空洞内への前記液体入口流路の開口が前記円筒形のスリーブと同心である請求項１に記載の再充てんユニット。
【請求項６】
前記空洞内への前記液体出口流路の開口が前記円筒形のスリーブの中心線とオフセットされている請求項１に記載の再充てんユニット。
【請求項７】
前記液体ポンプがほぼ水平に動く請求項１に記載の再充てんユニット。
【請求項８】
前記容器は首部を含み、前記ポンプ匡体は前記首部に接続されて前記液体入口流路は前記容器の前記首部の中心からオフセットされている請求項１に記載の再充てんユニット。
【請求項９】
前記ポンプ匡体は第一の物理プロパティのセットを有する第一の材料から成って前記円筒形のスリーブは第二の物理プロパティのセットを有する第二の材料から成っている請求項１に記載の再充てんユニット。
【請求項１０】
再充てんユニットであって：
泡生成可能な液体を保持する容器と；
前記容器に接続されたポンプ匡体と；
前記ポンプ匡体は空洞、液体入口流路及び液体出口流路を含み；
前記容器と前記空洞とを流体連通する配置の前記液体入口流路と；
前記匡体に固定されて前記容器及び前記空洞への前記液体入口流路の間に配設されている液体入口弁と；
前記空洞と前記空混合チャンバーとを流体連通する配置の前記液体出口流路と；
前記液体出口流路の下流及び前記混合チャンバーの上流に配設される液体出口弁と；
少なくとも部分的に前記空洞内に配設される円筒形スリーブと；
前記円筒形スリーブ内で往復動可動な液体ピストンと；
前記円筒形スリーブは少なくとも液体ポンプチャンバー部分を形成し；
空気コンプレッサーと；
前記空気コンプレッサーと前記混合チャンバーとを流体連通する配置の前記空気流路と；及び
泡生成可能な液体及び空気の混合をディスペンスするのに用いる前記混合チャンバーと流体連通する出口ノズルを含む再充てんユニット。
【請求項１１】
出口ノズルであって、前記液体ピストンの動作が前記ノズルからの液体流れ方向にほぼ垂直である出口ノズルをさらに含む請求項１０に記載の再充てんユニット。
【請求項１２】
空気入口弁をさらに含んで前記液体出口弁及び前記空気入口弁はインサートの一部である請求項１０に記載の再充てんユニット。
【請求項１３】
前記インサートは泡生成媒体をさらに含む請求項１２に記載の再充てんユニット。
【請求項１４】
空気入口弁をさらに含んで前記液体出口弁及び前記空気入口弁はワイパーシールであって反対方向に開口する請求項１０記載の再充てんユニット。
【請求項１５】
前記液体入口弁は約２〜５psiの間で開く請求項１０記載の再充てんユニット。
【請求項１６】
空気入口弁をさらに含んで前記空気入口弁は約２〜５psiの間で開く請求項１０記載の再充てんユニット。
【請求項１７】
前記液体出口弁はワイパー弁である請求項１０に記載の再充てんユニット。
【請求項１８】
前記出口弁はインサートの一部であり、前記インサートは空気流路を含む請求項１７に記載の再充てんユニット。
【請求項１９】
前記インサートは泡生成媒体をさらに含む請求項１８記載の再充てんユニット。
【請求項２０】
再充てんユニットであって：
泡生成可能な液体を保持する容器と；
前記容器に接続されたポンプ匡体と；
前記ポンプ匡体は空洞、液体入口流路及び液体出口流路を含み；
前記容器と前記空洞とを流体連通する配置の前記液体入口流路と；
前記空洞と前記空混合チャンバーとを流体連通する配置の前記液体出口流路と；
前記匡体に固定されて前記容器及び前記液体入口流路の間に配設されている液体入口弁と；
前記液体出口流路の下流かつ前記混合チャンバーの上流に配設される液体出口弁と；
少なくとも部分的に前記空洞内に配設される円筒形スリーブと；
前記円筒形スリーブ内で往復動可動な液体ピストンと；
前記円筒形スリーブは少なくとも液体ポンプチャンバー部分を形成し；及び
前記出口流路と流体連通する出口ノズルを含む再充てんユニット。
【請求項２１】
出口ノズルであって、前記液体ピストンの動作は前記ノズルからの流出方向にほぼ垂直である出口ノズルをさらに含む請求項１８記載の再充てんユニット。
【請求項２２】
前記液体入口弁は約２〜５psiの間で開く請求項１８記載の再充てんユニット。
【請求項２３】
泡ポンプの製造（manufacturing）方法であって：
容器を接続するコネクター、液体入口、空洞、空気入口、及び流体出口を有するポンプ匡体の組立製造（fabricating）と；
円筒形液体シリンダー及び円筒形空気シリンダーの組立製造と；
液体ピストンの組立製造と；
空気ピストンの組立製造と；
下部匡体の組立製造と；
液体入口弁の前記匡体への固定であって、前記液体入口弁は前記液体入口の上流に配設される固定と；
前記流体出口にインサートするインサートと；
下部匡体を前記流体出口が前記インサートを保持する固定と；
前記ピストンを前記液体シリンダーへの導入及び前記空気ピストンを前記空気シリンダーへの導入と；
前記スリーブの少なくとも一部の前記空洞へのインサート及び前記スリーブを前記ポンプ匡体への固定を含む泡ポンプの製造方法
【請求項２４】
前記インサートを液体出口弁及び泡媒体を含む前記インサートの組立製造（fabricating）をさらに含む請求項２３記載の方法。
【請求項２５】
液体出口弁、空気入口弁、混合チャンバー及び泡生成媒体を含む前記インサートの組立製造（fabricating）をさらに含む請求項２３記載の方法。
【請求項２６】
液体出口弁、空気入口流路、混合チャンバー及び泡生成媒体を含む前記インサートの組立製造（fabricating）をさらに含む請求項２３記載の方法。
【請求項２７】
液体入口弁は円環突出部内にインサートされる請求項２３記載の方法。
【請求項２８】
液体入口弁は前記ポンプ匡体頂部から下方にインサートされる請求項２３記載の方法。
【発明の詳細な説明】
【関連出願】
【０００１】
本出願は２０１３年３月１０日に出願された米国特許出願第１３/７９２１１５号「水平ポンプ、再充てんユニット及び泡ディスペンサー」の優先権とその利益を主張する。
本出願及び特許出願は２０１２年１０月２９日に出願された米国特許仮出願第６１/７１９６１８号「水平ポンプ、再充てんユニット及び泡ディスペンサー」；２０１２年８月３０日に出願された米国特許仮出願第６１/６９５１４０号「水平ポンプ、再充てんユニット及び泡ディスペンサー」の優先権とその利益を主張する。これらの出願の内容は本出願に組み込まれたものとする。
【技術分野】
【０００２】
本発明は、概して、液体ポンプ、泡ディスペンサー用再充てんユニット及び泡ディスペンサーに関し、特に水平泡ポンプ、再充てんユニット及び泡ディスペンサーに関する。
【背景技術】
【０００３】
液体石鹸及び衛生ディスペンサ等の液体ディスペンサー・システムは、ディスペンサーの作動と同時に所定の量の液体をユーザーに供給する。加えて、時として液体を泡の形態でディスペンスすることが望まれ、例えば、液体に空気を射出し液体と空気をミックスした泡状の液体と空気のバブルを生成する。一般的に言って、ディスペンサーシステム全体でのポンプ及び泡生成機器によって取られるスペースを減ずるのが好ましい。このことによって、液体を保存するための利用可能なスペースが最大化されて、他の便益もある。加えて、動作に省エネの泡ポンプは望ましい。
【発明の概要】
【発明が解決しようとする課題】
【０００４】
泡ディスペンサー用のディスポーザル可能な再充てんユニットとディスポーザル可能な再充てんユニット用のポンプがここで開示される。再充てんユニットの実施例は、泡生成可能な液体を保持する容器と容器に固定されるポンプを含む。ポンプは、液体入口弁と液体出口弁の間に形成される液体チャンバーを含む。加えて、ポンプは、少なくとも一部が液体チャンバー内に位置するスリーブを含む。一又は複数の液体流路がスリーブ外壁と液体チャンバー壁の間に位置する領域に少なくとも一部定義される。ポンプは、ヘッド及びピストンの第一の端部に位置するシール部材を有するピストン体も含む。シール部材はスリーブの内壁に対してシールを形成し、ピストンヘッドはスリーブ内を動き、液体チャンバーの容積を拡張し減少させる。
【０００５】
泡ディスペンサー用の再充てんユニットの他の実施形態では、泡生成可能な液体用の容器と容器に接続されるポンプ匡体を含む。ポンプ匡体は液体チャンバーを有する液体ポンプ部分を含む。液体チャンバーは、液体入口と液体出口を含む。ポンプは、第一の部分は第二の部分に比してより大きな径を有する、第一の部分と第二の部分を備える円環匡体を含む。加えて、ポンプは液体ピストンヘッド及び空気ピストンヘッドを備えるピストンを含む。空気ピストンヘッドは円環匡体の第一の部分でシールを形成するように構成され、液体ピストンヘッドは円環匡体に第二の部分でシールを形成するように構成されている。ピストンの動作は往復動で液体と空気を動かす。円環匡体の少なくとも第二の部分の一部は、ポンプ匡体の液体チャンバー内にはぴったりとフィットし、液体チャンバーと第二の円環匡体部の外壁との間の一つ又は複数の液体通路を形成する。
【０００６】
泡ディスペンサー用の再充てんユニットの他の実施形態は、泡生成可能な液体用の容器と容器に接続されているポンプ匡体を含む再充てんユニットを含む。ポンプ匡体は液体チャンバーを含む。液体チャンバーは、液体入口と液体出口を有する。液体チャンバー内にはスリーブの少なくとも一部が位置される。ポンプは、スリーブ内を往復動に動くように構成されて、液体チャンバーの容積を増加させ、減少させる。一つ又は複数の液体流路はスリーブの外壁と液体チャンバーの壁面との間に形成されている。液体は、液体入口を通じて液体チャンバーに入り、液体出口を通じて液体チャンバーから出る液体は、一つ又は複数の液体流路を通って流れる。
【図面の簡単な説明】
【０００７】
これら及び他の本発明の特徴と利点は、以下の記述と添付図面についてよりよく理解されるであろう、すなわち：
【０００８】
図１は、再充てんユニット１１０を有する泡ディスペンサー１００の実施例の断面図である。
【０００９】
図２は、再充てんユニット２００の実施例の断面図である。
【００１０】
図３は、他の再充てんユニット３００の実施例の断面図である。
【００１１】
図４及び５は、他の再充てんユニット４００の実施例の断面図である。；
【００１２】
図６は、他の再充てんユニット６００の実施例の断面図である。
【００１３】
図７は、再充てんユニット６００のポンプの実施例で用いるインサートの断面図である。
【００１４】
図８は、再充てんユニット８００とポンプの実施例の断面図である。
【発明を実施するための形態】
【００１５】
図1は、泡ディスペンサー１００の実施形態を描いている。図１の断面図は匡体１０２を通して泡ポンプ１２０と容器１１６を示す。泡ディスペンサー１００は、ディスポーザル可能な再充てんユニット１１０を含む。ディスポーザル可能な再充てんユニット１１０は、泡ポンプ１２０に接続される容器１１６を含む。泡ディスペンサー１００は、壁に据付のシステムでもよいし、カウンター埋め込み式、場所から場所へ移動可能なポータブルシステム又はその類の泡ディスペンサーシステムでよい。
【００１６】
容器１１６は、、再充てんユニット110内に泡生成可能な液体のサプライを含む液体リザーバを形成する。様々な実施形態では、含まれている液体は例えば、石鹸、衛生クレンザー、抗菌剤又は何らかの泡生成可能な液体である。再充てんユニット１１０の実施例では、容器１１６は折り畳み可能な容器で、薄いプラスチック又はフレキシブルな袋のような材料で作成可能である。他の実施形態では、容器１１６は頑丈な匡体部材で形成されてよく、液体が漏れずに泡生成可能な液体を含む他の好適な構成を備えるものでよい。容器１１６は、有利には、再充てん可能であり、交換可能であり又は再充てん可能かつ交換可能である。他の実施形態では、容器１１６は、再充てん可能でも交換可能でもない。
【００１７】
導入されている再充てんユニット１１０の容器１１６に蓄えられている液体が尽きたり又は他の故障が生じる事態では、導入されている再充てんユニット１１０は、泡ディスペンサー１００から外されてよい。空の又は故障したディスポーザル可能な再充てんユニット１１０は、爾後、新しい再充てんユニット１００と交換され得る。
【００１８】
泡ディスペンサー１００の匡体１０２は、一つ又は複数のアクチュエーター部材を備え、ポンプ１２０を駆動する。ここで使用されているように、アクチュエーター又はアクチュエーター部材又は機構は、一つ又は複数のディスペンサー１００に液体、空気又は泡を動かさせる部品を含む。アクチュエーター１０４は、一般的に描かれている、というのは、泡ディスペンサー１００に用いられるものには、多くの異なる種類のポンプアクチュエーターがあるからである。泡ディスペンサー１００のアクチュエーターは、どのようなタイプのアクチュエーターでもよく、例えば、マニュアルレバー、マニュアルプルバー、マニュアルプッシュバー、マニュアル回転可能なクランク、電子駆動アクチュエーターのような又は他の液体ポンプ部１２４と空気コンプレッサー部１２２を含む泡ポンプ１２０をアクチュエートする手段でよい。電子アクチュエーターは、追加で、センサーを含みタッチレスオペレーションのハンズフリーディスペンサーシステムを提供する。一実施形態では、アクチュエーター１０４は、ヒンジ部材１０６で匡体１０２に接続されている。様々な中間リンク機構、例えば、アクチュエーター部材１０４をシステム匡体１０２内の泡ポンプ１２０に接続するリンク部材１０５がある。一実施形態では、リンク部材１０５は、ソケット１０７を備えて、ピストンの近接端でボール２４１（図２参照）にスナップされる。匡体１０２の底面プレート１０３にあるアクチュエーター１１５は、泡ポンプ１２０のノズル１２５からディスペンスされる泡がユーザーにディスペンスされるのを可能とする。
【００１９】
以下でより詳細に記述されるように、本発明の実施例の一アドバンテージは、泡ポンプ１２０の出口が液体入口とオフセット、ずれてよいことである。したがって、よりコンパクトな匡体が使用できる可能性がある。一実施形態では、距離Ｘだけ匡体１０２の前面から出口ノズル１２５の中央線に１．５から２インチの間で離隔し、一実施形態ではその距離は匡体の前面から約１．７インチである。一実施形態では、匡体１０２の深さＹは、総じて約５インチ以下であり、他の実施形態では、総じて深さＹは約４インチである。
【００２０】
図２は、泡ディスペンサーに用いて好適な再充てんユニット２００の一実施例の断面図である。再充てんユニット２００は、泡ポンプ２０１に接続されて泡生成可能な液体を保持する容器２２１を含む。液体ポンプ２０１は匡体２０２を含む。匡体２０２は入口プレート２１６を受ける。入口プレート２１６は、円環突出部材２１８を含む。容器２２１に首部は円環溝２２２内で円環突出部材２１８と匡体２０２の間で受けられる。匡体２０２は、容器２２１に接続され他の手段によって、例えば、ねじ結合、溶接、接着又はその類によって接続される。オプションとして、ガスケットが円環溝２２２内にフィットして液体が容器２２１でしっかりと密封されるシールを形成するのを助ける。
【００２１】
入口プレート２１６は、そこを通る位置にある一つ又は複数のアパーチャ２２４を含む。加えて、一方向入口弁２２６が入口プレート２１６に固定されている。一方向入口弁２２６は、どのようなタイプの一方向弁でもよく、例えば、ボール及びばね弁、ポペット弁、フラッパー弁、傘弁、スリット弁、マッシュルーム弁及びダックビル弁又はその類でよい。
【００２２】
ポンプ匡体２０２は液体チャンバー２０４を含む。一実施形態では、液体チャンバー２０４は円筒形である。液体チャンバー２０４内に少なくとも一部が位置しているのがスリーブ２３２である。匡体２０２は、液体チャンバー２０４の一端に円環突出部材２１０を含む。スリーブ２３２は、カラー２１１によって、円環突出部材２１０に固定されている。カラー２１１はアパーチャ２１２を含む。
【００２３】
ピストン２４０は、アパーチャ２１２から突出しているシャフト２４１を含む。ピストン２４０は、スリーブ２３２内を往復動にスライド可能である。ピストン２４０は、頭部端にダブルワイパーシール２４４を備えるピストンヘッドを含む。ピストン２４０の動作は、液体チャンバー２０４の容積を拡張及び収縮させる。ダブルワイパーシール２４４は、どのようなシール部材でもよく、例えば、０−リング、シングルワイパーヒール又はその類でよい。匡体２０２は、ピストン２４０の端部２０７に接触する突出部材２０６を含み、ストロークの一端に達したときには、ピストン２４０の動作をストップする。
【００２４】
加えて、ピストン２４０は、ピストン２４０の端部近くに位置する第二のピストンヘッドとシール部材２４２を含む。第二のシール部材２４２は、空気コンプレッサー匡体２３０の内部に付いている。「空気コンプレッサー」という用語は、ここでは、「空気ポンプ」という用語と交換可能に用いられている。一実施形態では、空気コンプレッサー匡体２３０とスリーブ２３２は一つの部品として形成される。ピストン２４０の動作は空気チャンバー２４３を拡張及び収縮させる。空気チャンバー２４３は空気出口２３６を含むが、それは、混合チャンバー２６２の空気入口でもある。一実施形態では、空気出口２３６は、スリーブ２３２と空気コンプレッサー匡体２３０双方で一体に形成されている。
【００２５】
液体入口流路２５０は、スリーブ２３２と液体チャンバー２０４の壁の間に形成されている。液体入口流路２５０は、全体がスリーブ２３２のまわりに拡がり、又は、一つ又は複数のリブ突出（図示しない）に囲まれて、入口流路２５０の液体が流路２５０を通ってスリーブ２３２内部に入るようにされている。出口流路２５４、２５６は、スリーブ２３２と液体チャンバー２０４の壁面の間にも存在している。出口流路２５６は、全体がスリーブ２３２のまわりに延びて又は一つ又は複数のリブ突出(図示しない)に囲まれて、液体がスリーブ２３２の内部から流路２５４、２５６を通って流出可能となってもよい。流路２５４と２５０は、接続されて共通の流路を形成してもよい。
【００２６】
匡体２０２は、出口流路２０８を含む。匡体２０２には、下部匡体２６０がある。下部匡体２６０は、匡体２０２にどのような手段で接続されてもよく、例えば、ねじ結合、スナップフィット結合、溶接、接着又はその類でよい。ここで、一実施形態では、下部匡体２６０は、匡体２０２の円環突出部２０９にスナップされている円環突出部２６７を含む。出口流路２０８の近傍に位置するのは、液体出口弁２６４である。液体出口弁２６４は、スリット２６６を含む。スリット２６６は、出口流路２０８の近傍には、液体出口弁２６４がある。液体出口弁２６４は、スリット２６６を含む。スリット２６６は、液体チャンバー２０４から混合チャンバー２６２へと液体が流入できるように開いている。液体出口２０８を囲むように壁が背後に備えられ、混合チャンバー２６２に圧力があるときにはスリット２６６が開くのを防止し、液体及び／又は空気が混合チャンバー２６２から液体チャンバー２０４へと入るのを防止する。液体出口弁２６４は、円環リム２６３によって下部匡体部位２６０上で正位置に保持される。スリット弁２６４が開示されているが、非常に有利には小さな余裕しかないが、他のタイプの液体出口弁も使用可能であり、例えば、ボール及びばね弁、フラッパー弁、ポペット弁、マッシュルーム弁及びダックビル弁又はその類でよい。
【００２７】
下部匡体２６０は、内部に空洞があって混合チャンバー２６２を形成している。
下部匡体２６０は、混合チャンバー２６２の壁に開口２７３を含む。空気チャンバー２４３の空気出口２３６は、開口２７３に嵌めこまれて、混合チャンバー２６２と空気チャンバー２４３との流体連通を可能としている。混合チャンバー２６２は、液体チャンバー２０４とは弁２６４を通じて流体連通している。加えて、下部匡体２６０は、出口開口２６１と円環突出２６７を含む。出口ノズル２７０は、下部突出２６７を覆ってフィットし、出口ノズル２７０を下部匡体２６０に固定する。出口ノズル２７０は、プレスフィット結合で固定されているが、他のどのような手段で接続されてよく、例えば、スナップフィット結合、接着、ねじ結合又はその類でよい。出口ノズル２７０は、フロア２７１、テ―パー部２７２及び出口２７４を含む。加えて、一つ又は複数のスクリーンなどの泡生成媒体２７５が出口ノズル２７０に含まれている。オプションとして、泡生成カートリッジが使用されてよく、そこでは、泡生成カートリッジはフロア２７１に置かれてれいる。いくつかの実施形態では、スクリーン２７５は一つ又は複数の多孔性部材又はじゃま板に置換される。
【００２８】
スリーブ２３２を用いる利益の例は、液体入口２２４又は液体入口弁２２６は、液体チャンバー２０４の容積に影響することなく、又は、ポンプ２０１の効率を減少させることなく、スリーブ２３２のどの位置に配置されてもよいことである。同様に、液体出口２０８及び／又は液体出口弁２６４は、スリーブ２３２に沿ってどこに配置されてもよく、液体チャンバー２０４の容積を減少させず、ポンプ２０１の効率も減少させない。いくつかの実施形態では、液体入口と液体出口は互いにオフセットされている。いくつかの実施形態では、ポンプ２０１が泡ディスペンサーに導入されたときに、液体出口はディスペンサーの前面に液体入口よりも近くに配設されている。いくつかの実施形態では、液体入口と液体出口は共通の軸に沿っている。ピストン２４０は、ほぼ水平のポンプ軸に沿って動く。いくつかの実施形態では、液体入口弁２２６はほぼポンプ軸に垂直に動く。いくつかの実施形態では、、水平に及び垂直に折り畳み可能でも、少なくとも液体入口弁２２６の部分はほぼ鉛直軸に沿って動く。
【００２９】
加えて、ポンプ２０１は、選択されたサブ部品で作成されると記述されていても、
ポンプ２０１は、他の実施形態にここで開示されていると同様に、より多くの部品又はより少ない部品から作られてもよい。
【００３０】
操作中、ポンプ２０１のピストン２４０は、チャージされていない位置からチャージされている位置又はプライム状態へ移動するとき、液体は液体入口２２４を通り入り、一方向入口弁２２６を過ぎて、流路２５０、２５２を通ってスリーブ２３２内部へと入るが、このスリーブは液体チャンバー２０４の一部を形成している。
【００３１】
チャージされている位置から、チャージされていない位置へのピストン２４０の動きは、液体を液体チャンバー２０４（スリーブ２３２の中央を含む）から流路２５４，２５６を通って流出させて液体出口弁２６４を過ぎて混合チャンバー２６２へと流す。同時に、空気チャンバー２４３の容積は減少されて空気が空気出口２３６から混合チャンバー２６２へと流出する。空気と液体の混合物は開口２６１を通って泡生成媒体２７５を通りリッチな泡を作る。リッチな泡は、テ―パー部２７２を通過して移動し、容積が減少されているので加速されて出口２７４を通って泡ポンプ２０１から出る。
【００３２】
図３は、泡ディスペンサーに用いて好適な再充てんユニット３００の他の実施形態の断面図である。再充てんユニット３００は泡生成可能な液体を保持し、泡ポンプ３０１に接続されている容器３２１を含む。泡ポンプ３０１は匡体３０２を含む。匡体３０２は、入口プレート３１６を受ける。入口プレート３１６は、円環突出３１８を含む。容器３１２の首部は、円環突出３１８と匡体３０２の間で形成される円環溝３２２内に受けられている。匡体３０２は、容器３２１とどのような手段で接続されていてよく、例えば、ねじ結合、溶接、接着又はその類によって接続されてよい。オプションとして、ガスケットが円環溝３２２に嵌めこまれ容器と液封シールを形成するのを助ける。入口プレート３１６は匡体３０２と一体に形成されてもよい。入口プレート３１６は、そこを通る一又は複数の入口アパーチャ３２４を含む。加えて、一方向入口弁３２６が入口プレート３１６に固定されている。一方向入口弁３２６は、どのようなタイプの一方向弁でもよく、例えば、ボール及びばね弁、ポペット弁、フラッパー弁、傘弁、スリット弁、マッシュルーム弁及びダックビル弁又はその類でよい。
【００３３】
ポンプ匡体３０２は、液体チャンバー３４１を含む。一実施形態では、液体チャンバーは円筒形である。少なくとも一部が液体チャンバー３０４内に位置されているのは、スリーブ３３２である。匡体３０２は、液体チャンバー３０４の一端にある円環部３１０を含む。スリーブ３３２は円環突出材３１０にカラーによって固定されている。カラー３１１は開口３１２を含む。
【００３４】
ピストン３４０は、アパーチャ３１２から突き出ているシャフト３４１を含む。ピストン３４０は、スリーブ３３２内を往復動にスライド可能である。ピストン３４０は、先端部にダブルワイパーシール３４４を有するピストンヘッドを含む。ピストン３４０の動きは、液体チャンバー３０４の容積を拡張及び収縮させる。ダブルワイパーシール３４４は、どのようなシール部材でもよく、例えば、Ｏ−リング又はシングルワイパー又はその類でよい。匡体３０２は、ストロークの端に到達するとピストン３０４の端部３０７に接触してピストン３４０の動作をストップする突出部材３０６を含む。
【００３５】
加えて、ピストン３４０は、第二のピストンヘッドと基端部に配設されるシール部材３４２を含む。第二のシール部材は、空気コンプレッサー匡体３３０の内部にある。「空気コンプレッサー」という用語は、ここでは「空気ポンプ」と交換可能に用いられてよい。一実施形態では、空気コンプレッサー匡体３３０とスリーブ３３２はひとつの部品である。ピストンヘッド３４２の動作は、空気チャンバー３４３を拡張し収縮する。空気チャンバー３４３は空気出口３３６を含むが、それは、混合チャンバー３９６への空気入口でもある。一実施形態では、空気出口３３６はスリーブ３３２及び空気コンプレッサー匡体３３０と一体に形成されている。
【００３６】
液体入口流路３５０は、スリーブ３３２と液体チャンバー３０４の間に形成されている。入口流路３５０は、全体がスリーブを囲んで拡大されていてよいし、又は、入口流路３５０にある液体を流路３５０、流路３５２を通してスリーブ３３２内へ流す一又は複数のリブ突出(図示しない)によって囲まれていてよい。出口流路３５６は、延びて全体スリーブを囲んでもよく又は、液体を流路３５４、３５６を通りスリーブ３３２内部から流出させる一つ又は複数のリブ突出(図示しない)によって囲まれてもよい。流路３５４、３５０は接続されて共通の流路を形成してもよい。
【００３７】
匡体３０２は、弁シート３６６と液体出口３０８を含む。匡体３０２に接続されているのは、下部匡体３７０である。匡体３０２は、下部匡体３７０の突出部材３６７と一緒になってスナップフィット結合を形成する突出部材３０９を含む。オプションとして、下部匡体３７０は、匡体３０２にどのような手段で接続されていてよく、例えば、ねじ結合、プレスフィット結合、溶接、接着又はその類によって接続される。下部匡体３７０はは内部に空洞３７３を有する。下部匡体３７０は、空気入口３３６を形成する第一の円環突出部３６５を含む。加えて、下部匡体３７０はフロア３７１を含む。テ―パー部３７２はフロア３７２から円環出口３７４まで伸びている。
【００３８】
空洞３７３には、インサート３９０が配設されている。インサート３９０は、一又は複数のコンポーネントで成ってよい。インサート３９０は、円環部材３９２で形成される内部空洞３９６を含んでよい。一方向出口弁３６４は、弁シート３６６に対してシールする。一方向出口弁３６４は、そのような一方向弁でもよく、例えば、ボール及びばね弁、ポペット弁、フラップ弁、傘弁、スリット弁又はその類でよい。
【００３９】
インサート３９０は、液体と空気が、そこに固定される泡生成媒体３７５を通って流れ落ちる開口３９４を含む。泡生成媒体は、一つ又は複数のスクリーン、多孔性の部材、じゃま板、スポンジ、泡生成カートリッジ、又はこれらの組み合わせの類でよい。泡生成媒体はインサート３９０の一部と一体の部品であってもよく、又は分離されている部品であってもよい。
【００４０】
加えて、ポンプ３０１は、選択されたサブ部品で作成されると記述されていても、
ポンプ３０１は、他の実施形態にここで開示されていると同様に、より多くの部品又はより少ない部品から作られてもよい。
【００４１】
操作中、ポンプ３０１のピストン３４０はチャージされていない位置からチャージされている位置又はプライム状態に動くとき、液体は、液体入口３２４を通り、一方向入口弁３２６を過ぎて液体チャンバー３０４へ入って、流路３５０，３５２を通ってスリーブ３３２（これは液体チャンバー３０４の一部を形成もしている）の内部へ流入する。
【００４２】
ピストン３４０のチャージされている位置からチャージされていない位置への動きは、液体を液体チャンバー３０４（スリーブ３３２の中央を含んでから流出して流路３５４、３５６を通り液体出口弁３６４を過ぎて混合チャンバー３９６へ入る。空気と液体混合物は、開口３９４を通され、泡生成媒体３７５を通されて、リッチな泡が作られる。リッチな泡は、容積が減少されて加速されるテ―パー部を通り、出口３７４を通り泡ポンプ３０１から出る。
【００４３】
図４及び５は、ディスペンサーに用いて好適な再充てんユニット４００の他の実施例に係る断面図を描いたものである。再充てんユニット４００は、泡生成可能な液体を保持して泡ポンプ４０１と接続されている容器４２１を含む。泡ポンプ４０１は、匡体４０２を含む。匡体４０２は、容器４２１とどのような手段で接続されてもよく、例えば、ねじ結合、溶接、接着又はその類でよい。オプションとして、ガスケットが円環溝にフィットインして、容器と液封シールを形成するのを助けるものであってもよい。
【００４４】
匡体４０２は、空洞４０３、液体入口流路４７５と液体出口流路４７６を含む。液体入口流路４７５は、容器に配設されて空洞４０３と流体連通する。液体出口流路４７６は、空洞に配設されて混合チャンバー４９６と流体連通する。
【００４５】
少なくとも一部が空洞４０３内に配設されているのは、スリーブ４３２である。匡体４０２は、空洞の一端に円環突出４１０を含む。スリーブ４３２は、円環突出部材４１０にカラー４１１で固定されている。カラー４１１はアパーチャ４１２を含む。
【００４６】
ピストン４４０は、アパーチャ４１２から突き出ているシャフト４４１を含む。ピストン４４０は、スリーブ４３２内を往復動にスライド可能である。ピストン４４０は、端部にダブルワイパーシール４４４を有するピストンヘッドを含む。ピストン４４０の動きは、液体チャンバー４０４の容積を拡張、収縮させる。ダブルワイパーシール４４４は、どのようなタイプのシール部材であってもよく、例えば、Ｏ−リング、シングルワイパー又はその類でよい。
【００４７】
加えて、ピストン４４０は第二のピストンヘッドと基端に位置するシール部材４４２を含む。第二のシール部材４４２は、空気コンプレッサー匡体４３０内部に入っている。「空気コンプレッサー」という用語は、ここでは、「空気ポンプ」という用語と交換可能に用いられている。一実施形態では、空気コンプレッサー匡体４３０とスリーブ４３２は一つの部品で形成されている。ピストンヘッド４４２の動きは、空気チャンバー４４３を拡張、収縮する。
【００４８】
フレキシブルな膜４８０は、空洞４０３内に位置されて円筒形のスリーブ４３２によって正位置に固定されている。フレキシブル膜４８０は、そこを通る一つ又は複数のアパーチャ―４８１を含む。いくつかの実施形態では、一つ又は複数のアパーチャ―は、液体出口流路４７６への開口と並んでいる。フレキシブル膜４８０は一方向入口弁である。フレキシブル膜４８０は、液体入口流路４７５を覆い、液体が液体ポンプチャンバー４０４から流出するのを防止するが、それは少なくとも一部が円筒スリーブ４３２内に形成されて、液体入口流路４７５を通じてバックアップする。ピストン４４０が内側に動き、ポンプチャンバー４０４内に圧力を作ると、液体は液体ポンプチャンバー４０４から一又は複数のアパーチャ―４８１を通り液体出口流路４７６へと流出する。ピストン４４０が外側へ動くと、ポンプチャンバー４０４内に真空が作られる。真空圧は、フレキシブル膜４８０を内側へ撓ませ液体入口流路４７５の覆いを外す。液体は、液体入口流路を通り液体ポンプチャンバー４０４へと流入する。
【００４９】
匡体４０２には、下部匡体４７０が接続されている。匡体４０２は、突出部材を含み、下部匡体４７０の突出部材４６７を入れてスナップフィット結合している。オプションとして、下部匡体４７０は、匡体４０２とどのような手段で接続されていてもよく、例えば、ねじ結合、プレスフィット結合、溶接、接着又はその類でよい。下部匡体４７０は、内部空洞４７３を有する。下部匡体４７０は、空気入口４３６を形成する第一の円環突出部４６５も含む。加えて、下部匡体はフロア４７１を含む。テ―パー部４７２はフロア４７１から円環出口４７４まで伸びている。
【００５０】
空洞４７３には、インサート４９０がある。インサート４９０は一又は複数のコンポーネントから成ってよい。インサート４９０は、円環部材４９２から形成される内部空洞４９６を含む。内部空洞４９６は一方向出口弁４６４、片寄せ部材４６８を保持する。内部空洞４９６は混合チャンバーでもある。一方向出口弁４６４は、匡体４０２によって形成される弁シートに対してシールする。一方向出口弁４６４は、どのような一方向弁であってもよく、例えば、ボール及びばね弁、ポペット弁、フラップ弁、傘弁、スリット弁又はその類でよい。
【００５１】
インサート４９０は、開口４９４を含み液体と空気が流れ落ちてそこに固定されている泡生成媒体４７５を通れるようになっている。泡生成媒体は、一つ又は複数のスクリーン、多孔性部材、じゃま板、スポンジ、泡生成カートリッジ、これらの組み合わせの類でよい。泡生成媒体４７５は、インサート４９０と一体の部品でも又は別の部品でもよい。
【００５２】
加えて、ポンプ４０１は、選択されたサブ部品で作成されると記述されていても、
ポンプ４０１は、他の実施形態にここで開示されていると同様に、より多くの部品又はより少ない部品から作られてもよい。
【００５３】
操作中、ポンプ３０１のピストン３４０はチャージされていない位置からチャージされている位置又はプライム状態に動くとき、液体は、液体入口４７５を通り、フレキシブル膜４８０のアパーチャ４８１を通り、上述されたように、液体ポンプチャンバー４０４に流入する。
【００５４】
ピストン４４０のチャージされている位置からチャージされていない位置への動きは、液体を液体ポンプチャンバー４０４から流出させて、フレキシブル膜の一つ又は複数のアパーチャを通り、液体出口弁４６４を過ぎて混合チャンバー４９６へと流れさせる。同時に、空気チャンバー４４３の容積は減少されて空気は空気出口４３６から空洞４７３へと流れ、アパーチャ４９９へ通り上がって混合チャンバー４９６で液体と混ざる。空気と液体混合物は、開口４９４を通って泡生成媒体４７５を通りリッチな泡を作る。リッチな泡は、容積が減少されて加速されるテ―パー部を通り、出口４７４を通り泡ポンプ４０１から出る。
【００５５】
図６は、泡ディスペンサーに用いて好適な再充てんユニット６００の他の実施例の断面図を描いたものである。再充てんユニット６００は、泡生成可能な液体を保持して泡ポンプ６０１と接続されている容器６２１を含む。泡ポンプ６０１は、匡体６０２を含む。匡体６０２は、容器６２１とどのような手段で接続されてもよく、例えば、ねじ結合、溶接、接着又はその類でよい。オプションとして、ガスケット６２２が円環溝にフィットインして、容器６２１と液封シールを形成するのを助けるものであってもよい。
【００５６】
匡体６０２は、トッププレート６１６を含む。トッププレート６１６は、円環入口弁突出部６１７を含む。円環入口弁突出部６１７内にあるのは、多数の液体入口アパーチャ６２４と入口弁保持アパーチャ６２８である。入口弁は、円環突出部６１７を入れて一方向弁を形成するシール６２７を有する。入口弁６２６は、入口弁保持アパーチャ６２８から伸びる柄６２９を含む。柄６２９は、遠方端に延びたベース又は球を含み、入口弁保持アパーチャ６２８を通じて圧搾されて、一旦空洞６０３内にあって他の一方向弁６１６の正位置にあると伸長する。
【００５７】
ポンプ匡体６０２は、液体チャンバー６０４を含む。いくつかの実施形態では、液体チャンバー６０４は、円筒形でいくつかの実施形態では、液体チャンバー６０４は、一部が円筒形である。少なくとも液体チャンバー６０４内に一部あるのは、スリーブ６３２である。匡体６０２は、液体チャンバー６０４の一端にスリーブ６３２上に配設される円環突出部材６１０を含む。スリーブ６３２は、カラー６１１によって、円環突出部材６１０に固定されている。スリーブ６３２は、匡体６０２とどのような手段で接続されてもよく、例えば、接着、溶接、プレスフィット又はその類でよい。カラー６１１はアパーチャ６１２を含む。
【００５８】
ピストン６４０は、アパーチャ６１２から突出するシャフト６４１を含む。ピストン６４０は、スリーブ６３２内を往復動にスライド可能である。ピストン６４０は、頭部端にダブルワイパーシール６４４を備えるピストンヘッドを含む。ピストン６４０の動作は、液体チャンバー６０４の容積を拡張及び収縮させる。ダブルワイパーシール６４４は、どのようなシール部材でもよく、例えば、０−リング、シングルワイパーヒール又はその類でよい。匡体６０２は、ピストン６４０の端部６０７に接触する突出部材６０６を含み、ストロークの一端に達したときには、ピストン６４０の動作をストップする。いくつかの実施形態では、ピストン６４０はポンプ６０１の液体出口に垂直な方向に可動である。
【００５９】
加えて、ピストン６４０は第二のピストンヘッドと基端に位置するシール部材６４２を含む。第二のシール部材６４２は、空気コンプレッサー匡体６３０内部に入っている。「空気コンプレッサー」という用語は、ここでは、「空気ポンプ」という用語と交換可能に用いられている。一実施形態では、空気コンプレッサー匡体６３０とスリーブ６３２は一つの部品で形成されている。ピストンヘッド６４２の動きは、空気チャンバー６４３を拡張、収縮する。空気チャンバー６４３は空気出口６３６を含むが、それは、混合チャンバー６９６の空気入口でもある。一実施形態では、空気出口６３６は、スリーブ６３２と空気コンプレッサー匡体６３０双方で一体に形成されている。いくつかの実施形態では、一方向空気入口弁(図示しない)が用いられ、空気が空気チャンバー６３６から入り、空気チャンバー６３６を再チャージすることができる。
【００６０】
液体入口流路６５０は、スリーブ６３２と液体チャンバー６０４の壁の間に形成されている。液体入口流路６５０は、全体がスリーブ６３２のまわりに拡がり、又は、一つ又は複数のリブ突出（図示しない）に囲まれて、入口流路６５０の液体が流路６５０を通ってスリーブ６３２内部に入るようにされている。出口流路６５４、６５６は、スリーブ６３２と液体チャンバー６０４の壁面の間にも存在している。出口流路６５６は、全体がスリーブ６３２のまわりに延びて又は一つ又は複数のリブ突出(図示しない)に囲まれて、液体がスリーブ６３２の内部から流路６５４、６５６を通って流出可能となってもよい。いくつかの実施形態では、流路６５４と６５０は、接続されて共通の流路を形成してもよい。
【００６１】
匡体６０２は、少なくとも一部が円環突出部材６０９で形成されている出口流路６０８を含む。匡体６０２には、下部匡体６７０が接続されて、突出部材６７２が入ってスナップフィット結合を形成する。オプションとして、下部匡体６７０は、匡体６０２にどのような手段で接続されてもよく、例えば、ねじ結合、プレスフィット結合、溶接、接着又はその類でよい。下部匡体６７０は、内部空洞６７３を有する。下部匡体６７０は、そこに空気入口６３６の一部を形成する第一の円環突出部６６９も含む。加えて、下部匡体６７０は、フロア６７１と出口６７４を含む。
【００６２】
空洞６７３には、インサート６９０がある。インサート６９０は一又は複数のコンポーネントから成ってよい。インサート６９０は、液体入口シール６９１、空気入口シール６９２、泡生成媒体６７５を含む空洞を含む。泡生成媒体６７５は、一つ又は複数のスクリーン、多孔性の部材、じゃま板、スポンジ、泡生成カートリッジ、又はこれらの組み合わせの類でよい。泡生成媒体はインサート６９０の一部と一体の部品であってもよく、又は分離されている部品であってもよい。加えて、インサート６９０は、そこを通って混合チャンバー６９６から泡生成媒体を保持する空洞へ伸びている流路６９４を含む。空気流路６７１は、空気入口流路６３６から空気入口ワイパー弁６９２に至っている。一実施形態では、液体入口弁６９１と空気入口弁６９２は、開けるのに２から５psi必要である。
【００６３】
加えて、ポンプ６０１は、選択されたサブ部品で作成されると記述されていても、
ポンプ６０１は、他の実施形態にここで開示されていると同様に、より多くの部品又はより少ない部品から作られてもよい。
【００６４】
操作中、ポンプ６０１のピストン６４０は、チャージされていない位置からチャージされている位置又はプライム状態へ移動するとき、液体は液体入口６２４を通り入り、一方向入口弁６２６を過ぎて、流路６５０、６５２を通ってスリーブ６３２内部へと入る（このスリーブは液体チャンバー６０４の一部を形成している）。
【００６５】
チャージされている位置から、チャージされていない位置へのピストン６４０の動きは、液体を液体チャンバー６０４（スリーブ６３２の中央を含む）から流路６５４，６５６を通って流出させて液体出口弁６９１を過ぎて混合チャンバー６９６へと流す。同時に、空気チャンバー６４３の容積は減少されて、空気が空気出口６３６から流出し、空気入口弁６９２を過ぎて混合チャンバー６９６で液体と混じる。空気と液体の混合物は流路６９４、泡生成媒体６７５を通り、リッチな泡を作る。リッチな泡は、出口６７４を通って泡ポンプ６０１から出る。
【００６６】
図７は、ポンプ６０１のインサート６９０を置換するのに用いられるインサート７９０の他の実施例を描いたものである。インサート７９０は、一又は複数のコンポーネントから成る。インサート７９０は、液体入口シール７９１を含む。インサート７９０は、円環突出部６０９の底面と接触するトップシート７９７を含み、シールを形成する。インサート７９０の空洞は、泡生成媒体７７５を含む。加えて、インサート７９０は、液体入口弁７９１の下流側から混合チャンバー７９６へ伸びる流路７９４を含む。いくつかの実施形態では、操作中、空気が空気チャンバー６４３を出口ノズル６７４を流通し、泡生成媒体６７５を通り、空気流路７９５を通って、再チャージする。このような再チャージは、液体出口弁７９１の下流の残余の泡又は液体の「サックバック」を提供してポンプがディスペンスサイクルの間で垂らしたり、漏らしたりするのを防止する。
【００６７】
泡ポンプの製造（manufacturing）の実施例もここで提供されている。実施ステップは、どの順番で実行してもよい。加えて、以下の実施方法は、泡ポンプのためのものであり、液体ポンプの製造方法は、ほぼ以下に記述されるものと同様で、空気コンポーネントを製造する必要はない。ここで記述される泡ポンプの製造方法の実施例は、例えば、容器、液体入口、空洞、空気入口、液体出口を接続するポンプ匡体の組立製造（fabricating）を含む。加えて、方法は、液体シリンダーと空気シリンダーを有するスリーブの組立製造（fabricating）を含む。液体ピストンと空気ピストンは、下部匡体とインサートとも同様に組立製造（fabricating）される。泡ポンプは、液体入口弁を匡体に固定されてアセンブリーされ、そこで、液体入口弁は液体入口の上流に配設される。インサートは液体出口に挿入され、そこに下部匡体が匡体の流体出口に固定されて保持される。液体ピストンは液体シリンダーに導入され、空気ピストンはスリーブの空気シリンダーに導入される。スリーブは、少なくとも一部が空洞に挿入されてポンプ匡体に固定される。
【００６８】
いくつかの実施形態では、インサートは液体出口弁と泡生成媒体を含む。いくつかの実施形態では、インサートは、液体出口弁、空気入口弁、混合チャンバー及び泡生成媒体を含む。いくつかの実施形態では、インサートは、液体出口弁、空気入口流路、混合チャンバー及び泡生成媒体を含む。いくつかの実施形態では、液体入口弁は円環突出部内でインサートされる。いくつかの実施形態では、液体入口弁はポンプ匡体のトップから下流方向にインサートされる。
【００６９】
ここで記述されている液体ポンプは、片寄せ部材を含み、それらをチャージされた又はプライム状態に戻す。いくつかの実施形態では、片寄せ部材はアクチュエーター機構で空気コンプレッサー及び／又は液体ポンプを第一の状態に戻す。それでも、空気コンプレッサー及び／又は液体ポンプが電子的にオペレーションされるならば、それらは、第一の状態に電子的に動かされるだろう。
【００７０】
加えて、いくつかの実施形態では、ポンプ匡体は、第一のプロパティ・セットを有する第一の材料で作られ、スリーブは、第二のプロパティを有する第二の材料で作られる。例えば、匡体は、たやすくへこんだり又は変形しやすいプロパティを有する低級のよりフレキシブルな材料で作り上げられる一方で、スリーブはへこんだり又は所望の形状から思いのほか変化せずに成形により容易な剛な材料で作られる。
【００７１】
図８は、泡ディスペンサーに用いて好適な再充てんユニット８００の他の実施例の断面図を描いたものである。再充てんユニット８００は、泡生成可能な液体を保持して泡ポンプ８０１と接続されている容器８２１を含む。液体ポンプ８０１は、泡ポンプ６０１と似ているが、空気コンプレッサー部分は含まない。液体ポンプは匡体８０２を含む。匡体８０２は、容器８２１とどのような手段で接続されてもよく、例えば、ねじ結合、溶接、接着又はその類でよい。オプションとして、ガスケット８２２が円環溝にフィットインして、容器８２１と液封シールを形成するのを助けるものであってもよい。
【００７２】
匡体８０２は、トッププレート８１６を含む。トッププレート８１６は、円環入口弁突出部８１７を含む。円環入口弁突出部８１７内にあるのは、多数の液体入口アパーチャ８２４と入口弁保持アパーチャ８２９である。入口弁８２６は、円環突出部８１７を入れて一方向弁を形成するシール８２７を含む。入口弁８２６は、入口弁保持アパーチャ８２９から伸びる柄８２８も含む。柄６２８は、遠方端に延びたベース又は球を含み、入口弁保持アパーチャ８２９を通じて圧搾されて、一旦空洞８０３内にあって他の一方向弁８２６の正位置にあると伸長する。
【００７３】
ポンプ匡体８０２は、液体チャンバー８０４を含む。いくつかの実施形態では、液体チャンバー８０４は、円筒形で、いくつかの実施形態では、液体チャンバー８０４は、一部が円筒形である。少なくとも液体チャンバー８０４内に一部あるのは、スリーブ８３２である。匡体８０２は、液体チャンバー８０４の一端に円環突出部材８１０を含む。スリーブ８３２は、カラー８１１によって、円環突出部材８１０に固定されているがどのような周知の方法を用いて接続されてよい。カラー８１１はアパーチャ８１２を含む。
【００７４】
ピストン８４０は、アパーチャ８１２から突出するシャフト８４１を含む。ピストン８４０は、スリーブ８３２内を往復動にスライド可能である。ピストン８４０は、頭部端にダブルワイパーシール８４４を備えるピストンヘッドを含む。ピストン８４０の動作は、液体チャンバー８０４の容積を拡張及び収縮させる。ダブルワイパーシール８４４は、どのようなシール部材でもよく、例えば、０−リング、シングルワイパーヒール又はその類でよい。匡体８０２は、ピストン８４０の端部８０７に接触する突出部材８０６を含み、ストロークの一端に達したときには、ピストン８４０の動作をストップする。
【００７５】
液体入口流路８５０は、スリーブ８３２と液体チャンバー８０４の壁の間に形成されている。液体入口流路８５０は、全体がスリーブ８３２のまわりに拡がり、又は、一つ又は複数のリブ突出（図示しない）に囲まれて、入口流路８５０の液体が流路８５０を通ってスリーブ８３２内部に入るようにされている。８５６は、スリーブ８３２と液体チャンバー８０４の壁面の間にも存在している。出口流路８５６もスリーブ８３２と液体チャンバー８０４の間に存在する。出口流路８５６は、全体がスリーブ８３２のまわりに延びて又は一つ又は複数のリブ突出(図示しない)に囲まれて、液体がスリーブ８３２の内部から流路８５６を通って流出可するものとなっていてよい。
【００７６】
匡体８０２は、少なくとも一部が円環突出部材８０９で形成されている出口流路８０８を含む。円環突出部材８０９内にはインサート８９０が配設されている。インサート８９０は、一つ又は複数のコンポーネントから成ってよい。インサート８９０は、液体入口シール８９１を含む。加えて、インサート８９０は、出口流路８９４を含む。
【００７７】
操作中、ポンプ８０１のピストン８４０がチャージされていない位置からチャージされている位置又はプライム状態へ移動するとき、液体は液体入口８２４を通り入り、一方向入口弁８２６を過ぎて、液体チャンバー８０４へ入り、流路８５０を通ってスリーブ８３２内部へと入る（このスリーブは液体チャンバー８０４の一部を形成している）。
【００７８】
チャージされている位置から、チャージされていない位置へのピストン８４０の動きは、液体を液体チャンバー８０４（スリーブ８３２の中央を含む）から流路８５６を通って流出させて液体出口弁８９１を過ぎて出口８９４を通って流出させる。
【００７９】
本発明が、ここに記載された実施形態に描かれ、実施形態は、かなり詳細に記載されているが、出願人は、添付する特許請求の範囲をいかようにも制限、限定する意図はない。追加の利点や修正は、当業者に理解される。其の上、一つの実施形態に記載された要素は、他の実施形態にも採用可能である。したがって、発明は、広い面で、特定の詳細事項に限定されず、各々の機器及び／又は実施例が示され、記載されている。したがって、出願人の一般的発明概念の精神とスコープから乖離しないで、これらの詳細から離れることもあり得る。加えて、様々な態様の実施例が互いに結合されて、互いに組み合わされるように表現上描かれていないものも本発明の実施形態を形成する。
【図１】
2015533535.tif 000003
【図２】
2015533535.tif 000004
【図３】
2015533535.tif 000005
【図４】
2015533535.tif 000006
【図５】
2015533535.tif 000007
【図６】
2015533535.tif 000008
【図７】
2015533535.tif 000009
【図８】
2015533535.tif 000010
【国際調査報告】
2015533535.tif 000011
2015533535.tif 000012